(57)【要約】      （修正有）【課題】レンジフードにネットを増設し、かつ該ネットの交換を容易とした蚊侵入防止ネットボックスを提供する。【解決手段】レンジフードの蚊侵入防止ネットボックスは、蚊侵入防止ボックス２０と引出式ネット挟持構造３０により組成し、引出式ネット挟持構造３０は引出式構造を呈し、蚊侵入防止ボックス２０中央の収容設置空間内にセットすることができる。蚊侵入防止ボックス２０上端の上ケーシング２１は排煙管１１に嵌めて接続し、蚊侵入防止ボックス２０下端の下ケーシングはレンジフード１０上縁に嵌めて接続し、これによりレンジフード１０の排煙管１１連接位置には、ネット部品を増設でき、排煙管１１を利用した蚊の室内への侵入を防止する。さらに引出式ネット挟持構造とすることにより、ネットを洗浄、或いは交換可能な利便性を提供できる。【選択図】図１
0003172360.tif 000002
【実用新案登録請求の範囲】
【請求項１】
レンジフードの蚊侵入防止ネットボックスは、蚊侵入防止ボックス、引出式ネット挟持構造を備え、前記蚊侵入防止ボックスは、封鎖式の長方形中空ボックス体を呈し、上端中央には、上ケーシングを突出状に設置し、反対の下端中央には、下ケーシングを突出状に設置し、前記蚊侵入防止ボックスは、片側に、長方形の開口を備え、その内部には収容設置空間を設置し、
前記引出式ネット挟持構造は、上挟合枠、下挟合枠、ネットにより組成し、
前記上挟合枠は、中空の長方形枠フレームを呈し、前縁中央には、係合軸を突出状に設置し、しかも前記上挟合枠は、内縁の周囲に、Ｌ型の挟合フランジを備え、前記下挟合枠は、中空の長方形枠フレームを呈し、前縁中央には、嵌合部品を接続し、しかも前記下挟合枠は、内縁の周囲に、Ｌ型の挟合フランジを備え、複数のボルトを２個の可動ヒンジ上の複数の円孔に通して設置し、前記上挟合枠と前記下挟合枠の後ろ側を、螺接して固定し、ネットは、前記上挟合枠の挟合フランジ下方と、前記下挟合枠の挟合フランジ上方にセットし、さらに前記上挟合枠と前記下挟合枠を蓋合し、
さらに、前記下挟合枠前縁の嵌合部品を上方へと９０度回転させ、前記嵌合部品を上挟合枠前縁の係合軸上に嵌めて固定し、引出式ネット挟持構造を組成し、前記引出式ネット挟持構造を、前記蚊侵入防止ボックスの収容設置空間内にセットし、一体を構成することを特徴とするレンジフードの蚊侵入防止ネットボックス。
【考案の詳細な説明】
【技術分野】
【０００１】
本考案はレンジフードの蚊侵入防止ネットボックスに関し、特に蚊侵入防止ボックスと引出式ネット挟持構造により組成し、引出式ネット挟持構造は、引出式構造を呈し、蚊侵入防止ボックス中央の収容設置空間内にセットすることができ、蚊侵入防止ボックス上端の上ケーシングは、排煙管に嵌めて接続し、蚊侵入防止ボックス下端の下ケーシングは、レンジフード上縁に嵌めて接続し、これによりレンジフードの排煙管連接位置には、ネット部品を増設でき、排煙管を利用した蚊の室内への侵入を防止し、さらに引出式ネット挟持設計においては、ネットを洗浄、或いは交換可能な利便性を提供でき、これにより製品の実用性を拡大することができるレンジフードの蚊侵入防止ネットボックスに関する。
【背景技術】
【０００２】
現在、一般の建築物では、壁上に通常、数個の貫通口を残し、排気装置(レンジフード、或いは室内空調装置など)のパイプ、或いは一般の通気パイプと連接する。これにより、台所のレンジフードの排気口、浴室の排気口、或いは天井の排気口などとする。こうして、屋内、外の空気は相互に流通する状態となり、室内の悪臭を屋外へと排出することができる。
【０００３】
通常は、屋外の風雨が排気装置のパイプ、或いは通気パイプ内に入り、ほこりと混合後にパイプを汚染する汚れが形成されることがないよう、或いは小動物(スズメやネズミなど)が進入し、排気装置のパイプ、或いは通気パイプの排気がスムーズにいかなくなるような影響が及ぶことがないよう、大体の排気口位置には、排気カバー構造を設置する。これにより、屋内、外の気体を循環させ流通させる目的を達成する。一般家庭の台所で使用するレンジフードは、廃気の必要のため、排気管を連接し廃気を屋外へと排出するが、雨水の浸入を防止し、さらには美観に対する配慮のため、多くは連接位置に、排気カバーを設置する。
【０００４】
しかし、排気カバーに蚊侵入防止ネットを設置して、この出口を使用した蚊の室内への侵入を防止することはできない。さらに、レンジフード下方のオイルフィルターは、完全な密封を達成することができないため、蚊はこの隙間を利用して室内へと侵入し、生活の質に悪影響を及ぼし、人体に危険をもたらし、非常に面倒な問題となっている。
【０００５】
毎年蚊が繁殖する季節になると、室内の蚊を完全にゼロにすることは難しい。ドア、窓、網戸などの蚊が侵入し得る場所を仔細に検査しても、どこも問題がないのに、なぜ蚊を皆無とできないのか？いったいどこから室内に侵入してくるのか？多年にわたる観察の結果、問題の所在が明らかになった。
実は蚊は、台所のレンジフード下方のオイルフィルターとレンジフード本体との間の隙間を通って侵入してくるのであった。
本考案は、従来のレンジフードの上記した欠点に鑑みてなされたものである。
【考案の概要】
【考案が解決しようとする課題】
【０００６】
本考案が解決しようとする課題は、蚊侵入防止ボックスと引出式ネット挟持構造により組成し、引出式ネット挟持構造は、引出式構造を呈し、蚊侵入防止ボックス中央の収容設置空間内にセットすることができ、蚊侵入防止ボックス上端の上ケーシングは、排煙管に嵌めて接続し、蚊侵入防止ボックス下端の下ケーシングは、レンジフード上縁に嵌めて接続し、これによりレンジフードの排煙管連接位置には、ネット部品を増設でき、排煙管を利用した蚊の室内への侵入を防止し、さらに引出式ネット挟持設計においては、ネットを洗浄、或いは交換可能な利便性を提供でき、これにより製品の実用性を拡大することができるレンジフードの蚊侵入防止ネットボックスを提供することである。
【課題を解決するための手段】
【０００７】
上記課題を解決するため、本考案は下記のレンジフードの蚊侵入防止ネットボックスを提供する。
【考案の効果】
【０００８】
本考案のレンジフードの蚊侵入防止ネットボックスにおいて、蚊侵入防止ボックスの構造原理は非常に簡単で、レンジフードの排煙管の連接位置に、ネットを増設するだけで、パイプを利用した蚊の室内への侵入を防止することができ、また引出式ネット挟持構造内の蚊侵入防止ネットには、ある程度の期間の使用により油汚れが付着する点を考慮し、挟合式設計を採用し、定期的な洗浄、或いはネットの交換を簡単に行うことができ、一切の工具を必要としないため、使用者は手入れが容易でないという面倒から解放される。
現在の市場で見られる伝統的なタイプ、斜め深型、逆Ｔ字型、ロート型などのレンジフードのどれにでも迅速に取り付けることができるため、新しいレンジフードに交換する必要がなく、現有の型式と統合設計が可能で、一体に結合でき、蚊侵入防止機能を備えるレンジフードとすることができる。
本考案は実施例に示すように、台所レンジフードの排煙管連接位置に、ネットの通過ポイントを増設し、蚊がこのルートを通って室内に侵入しないよう防止することができる他、浴室の排気口、或いは室内天井の空調装置の排気口など設備の排気管連接位置にも、本考案を増設でき、これにより蚊がこのルートを通って室内に侵入しないよう防止することができる。
【図面の簡単な説明】
【０００９】
【図１】本考案の使用状態模式図である。
【図２】本考案の側視構造模式図である。
【図３】本考案蚊侵入防止ボックスと引出式ネット挟持構造の組合せ構造模式図である。
【図４】本考案蚊侵入防止ボックスから引出式ネット挟持構造を引き出した状態を示す構造模式図である。
【図５】本考案引出式ネット挟持構造の分解構造模式図である。
【図６】本考案引出式ネット挟持構造においてネットを交換する状況を示す構造模式図である。
【考案を実施するための形態】
【００１０】
以下に図面を参照しながら本考案を実施するための最良の形態について詳細に説明する。
【実施例】
【００１１】
図１、２に示すように、本考案レンジフードの蚊侵入防止ネットボックスは、蚊侵入防止ボックス２０、引出式ネット挟持構造３０を備える。引出式ネット挟持構造３０は、蚊侵入防止ボックス２０中央の収容設置空間２３内にセットする。蚊侵入防止ボックス２０上端の上ケーシング２１は、排煙管１１に嵌めて接続する。排煙管１１は、壁１２を貫通し、屋外排煙カバー１３に連接する。蚊侵入防止ボックス２０下端の下ケーシング２２は、レンジフード１０上縁に嵌めて接続する。
【００１２】
さらに図３〜５に示すように、蚊侵入防止ボックス２０は、封鎖式の長方形中空のボックス体を呈し、上端中央には、上ケーシング２１を突出状に設置し、反対の下端中央には、下ケーシング２２を突出状に設置する。蚊侵入防止ボックス２０は、片側に、長方形の開口を備え、その内部には収容設置空間２３を設置する。
【００１３】
引出式ネット挟持構造３０は、上挟合枠３１、下挟合枠３４、ネット４０により組成する。上挟合枠３１は、中空の長方形枠フレームを呈し、前縁中央には、係合軸３２を突出状に設置する。しかも、上挟合枠３１は、内縁の周囲に、Ｌ型の挟合フランジ３３を備える。下挟合枠３４は、中空の長方形枠フレームを呈し、前縁中央には、嵌合部品３５を接続する。しかも、下挟合枠３４は、内縁の周囲に、Ｌ型の挟合フランジ３６を備える。複数のボルト３９を２個の可動ヒンジ３７上の複数の円孔３８に通して設置し、上挟合枠３１と下挟合枠３４の後ろ側を、螺接して固定する。ネット４０は、上挟合枠３１の挟合フランジ３３下方と、下挟合枠３４の挟合フランジ３６上方にセットし、さらに、上挟合枠３１と下挟合枠３４を蓋合する。さらに、下挟合枠３４前縁の嵌合部品３５を上方へと９０度回転させ、嵌合部品３５を上挟合枠３１前縁の係合軸３２上に嵌めて固定する。こうして、レンジフードの蚊侵入防止ネットボックスの全体構造を組成する。本考案レンジフードの蚊侵入防止ネットボックスは、上記した各構成部材により構成し、図６に示すように、上挟合枠３１と下挟合枠３４は、上方へ持ち上げて開放することができる。ある程度の時間使用したネット４０は取り出し、新しいネット４０をセットして、上挟合枠３１と下挟合枠３４を蓋合し、こうしてネット４０の交換を完了することができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。  
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
１０  レンジフード
１１  排煙管
１２  壁
１３  屋外排煙カバー
２０  蚊侵入防止ボックス
２１  上ケーシング
２２  下ケーシング
２３  収容設置空間
３０  引出式ネット挟持構造
３１  上挟合枠
３２  係合軸
３３  挟合フランジ
３４  下挟合枠
３５  嵌合部品
３６  挟合フランジ
３７  可動ヒンジ
３８  円孔
３９  ボルト
４０  ネット
【図１】
0003172360.tif 000003
【図２】
0003172360.tif 000004
【図３】
0003172360.tif 000005
【図４】
0003172360.tif 000006
【図５】
0003172360.tif 000007
【図６】
0003172360.tif 000008